(57)【要約】      （修正有）【課題】構成部品を減らして縫製工程の省力化と軽量化を図るランドセルを提供する。【解決手段】底面部５と該底面部の両側に大マチ部６、６を一体に形成してなる大マチ枠４の背中側に背板７を取付け、該背板の反対側に前板８を取付けて形成した主収容室の前板８の前側に、副収容部１２と前段ポケット部１７の外枠を一体に形成した基枠体１１を取付け、該基枠体の内側に仕切板２３を取付けて副収容部１２と前段ポケット部１７を形成し、該前段ポケット部の上部に設けた開口部２１にスライドファスナー２５を取付けて開閉可能に形成したことを特徴とする。【選択図】図２
0003186507.tif 000002
【実用新案登録請求の範囲】
【請求項１】
底面部（５）と該底面部の両側に大マチ部（６）、（６）を一体に形成してなる大マチ枠（４）の背中側に背板（７）を取付け、該背板の反対側に前板（８）を取付けて形成した主収容室（３）の前板（８）の前側に、副収容部（１２）と前段ポケット部（１７）の外枠を一体に形成した基枠体（１１）を取付け、該基枠体の内側に仕切板（２３）を取付けて副収容部（１２）と前段ポケット部（１７）を形成し、該前段ポケット部の上部に設けた開口部（２１）にスライドファスナー（２５）を取付けて開閉可能に形成したことを特徴とするランドセル。
【請求項２】
前記基枠体（１１）は、人工皮革シート（３１）を熱プレス加工により前段ポケット部（１７）を構成する前面板部（１８）の三辺に連続した底面部（１９）と両側面部（２０）、（２０）を折り曲げて形成し、該底面部と側面部の背面側に連続して折り曲げて設けた平面段部（１５）を介して一回り大きく形成した底面部（１３）と両側マチ部（１４）、（１４）をそれぞれ一体に折り曲げて副収容部（１２）を構成してなることを特徴とする請求項１記載のランドセル。
【請求項３】
前記人工皮革シート（３１）は、軽量で強度性と屈曲性を有する不織布にポリウレタン樹脂材を含浸させてなる表面シート地（３２）と、薄厚で軽量な弾力性と緩衝性と柔軟性を有する発泡ポリエチレン（ＰＥ）樹脂材、発泡ポリプロピレン（ＰＰ）樹脂材、エチレン酢酸ビニル（ＥＶＡ）などからなる弾力性芯地（３３）と、伸縮性を有する編地に合成樹脂シートを加熱圧着して形成した裏面シート地（３５）とからなり、前記表面シート地（３２）と弾力性芯地（３３）と裏面シート地（３５）をそれぞれ積層して接着剤を介して一体に形成してなることを特徴とする請求項２記載のランドセル。
【請求項４】
前記裏面シート地（３５）は、表面に任意模様を施したポリウレタン樹脂シート地（３７）と、伸縮性を有するトリコット編地（３６）をラミネート加工により一体に形成してなることを特徴とする請求項２または３記載のランドセル。
【考案の詳細な説明】
【技術分野】
【０００１】
本考案は、学童用ランドセルの改良に関する。
【背景技術】
【０００２】
従来、学童が背負うランドセルは、教科書やノートなどの大きなものを収容する主収容室と、計算用具などの各種教材を収容する副収容部と、内部に収容した給食費や教材費などのお金や大切なものが落下して紛失するのを防止するため、開口部にジッパーを取付けて開閉可能に形成した前ポケットからなるランドセル本体と、前記ランドセル本体を覆う蓋板と、前記ランドセル本体を背負う背負いベルトにより構成されているものが広く知られている。
【先行技術文献】
【特許文献】
【０００３】
【特許文献１】実用新案登録第３１５６０７８号公報
【特許文献１】実開平７−２７３２４号公報
【０００４】
一方、ランドセルは、数多くの部材により構成され、特にランドセル本体は、主収容室を構成する底面部の両側に大マチ部を一体に形成した大マチ枠と、学童の背中側に位置する背板と、該背板の反対側に位置する前板とからなり、副収容部は、底面部の両側にマチ部を一体に形成したマチ枠と、該副収容部と前段ポケット部を仕切る仕切板とからなり、前段ポケットは、底面と正面を一体に形成した正面板部と両側マチ部と、上方で水平方向に位置する開口部を形成する水平マチ部と、該前段ポケットの上方に設けた開口部にスライドファスナーを取付けて開閉可能に取付け、さらには、前記前段ポケットの正面板部には、学童の名前や住所、学校名などを記載した名札を収容するポケット部と、該名札を表示する窓部を設けたものが知られている。
【０００５】
したがって、ランドセルは、多数の部品を縫製するため多くの工程と、各部材の組立て工程が複雑であることから熟練した技術を有する多くの職人により縫製作業が行われているため、ランドセルの縫製に時間がかかり非能率的であると共に、部品数が多くランドセルが重たくなる。
【考案の概要】
【考案が解決しようとする課題】
【０００６】
そこで本考案は、ランドセル、特に人工皮革材、又波合成皮革材からなるランドセルにおいて、ランドセルの構成部品を少なくすることにより、ランドセルの縫製工程を少なくして作業の能率化とランドセルの軽量化を図ることによりランドセルを背負う学童の負担を軽減することを課題とするものである。
【課題を解決するための手段】
【０００７】
本考案は、底面部５と該底面部の両側に大マチ部６、６を一体に形成してなる大マチ枠４の背中側に背板７を取付け、該背板の反対側に前板８を取付けて主収容室３を形成した前記前板８の前側に、副収容部１２と前段ポケット部１７の外枠を一体に形成した基枠体１１を取付け、該基枠体の内側に仕切板２３を取付けて副収容部１２と前段ポケット部１７を形成し、該前段ポケット部の上部に設けた開口部２１にスライドファスナー２５を取付けて開閉可能に形成したことを特徴とする。また、前記基枠体１１は、人工皮革シート３１を熱プレス加工により前段ポケット部１７を構成する前面板部１８の三辺に連続した底面部１９と両側面部２０、２０を折り曲げて形成し、該底面部と側面部の背面側に連続して折り曲げて設けた平面段部１５を介して一回り大きく形成した底面部１３と両側マチ部１４、１４をそれぞれ一体に折り曲げて副収容部１２を構成してなることを特徴とする。さらに、前記人工皮革シート３１は、軽量で強度性と屈曲性を有する不織布にポリウレタン樹脂材を含浸させてなる表面シート地３２と、薄厚で軽量な弾力性と緩衝性と柔軟性を有する発泡ポリエチレン（ＰＥ）樹脂材、発泡ポリプロピレン（ＰＰ）樹脂材、エチレン酢酸ビニル（ＥＶＡ）などからなる弾力性芯地（３３）と、伸縮性を有する編地に合成樹脂シートを加熱圧着して形成した裏面シート地３５とからなり、前記表面シート地３２と弾力性芯地３３と裏面シート地３５をそれぞれ積層して接着剤を介して一体に形成してなることを特徴とする。さらにはまた、前記裏面シート地３５は、表面に任意模様を施したポリウレタン樹脂シート地３７と、伸縮性を有するトリコット編地３６をラミネート加工により一体に形成してなることを特徴とする。
【０００８】
したがって、本考案のランドセル本体２は、副収容部１２と前段ポケット部１７を一体に構成した基枠体１１を使用して形成したことにより、ランドセル１を構成する部品数を減らして縫製工程の省力化を図ることができ、また、部品数を減らしたことによりランドセルの軽量化を図ることができる。さらに、副収容部１２と前段ポケット部１７を一体に形成したことにより、ランドセルの型崩れや経年変化による縫製部分の綻びを防止することができる。
【図面の簡単な説明】
【０００９】
【図１】本考案に係るランドセルの蓋板を開いた状態の斜視図である。
【図２】ランドセル本体の分解斜視図である。
【図３】人工皮革シートの要部拡大断面図である。
【図４】基枠体の分解斜視図である。
【図５】基枠体の側面図である。
【図６】図５のＡ―Ａ断面図である。
【図７】図６に示す一点鎖線部分の拡大断面図である。
【図８】前段ポケット部に窓部を設けた第２基枠体の斜視図である。
【考案を実施するための形態】
【００１０】
本考案の実施の形態を図面に基づいて説明すると、図１は本考案に係るランドセルの蓋板を開いた状態の斜視図、図２はランドセル本体の分解斜視図、図３は人工皮革シートの要部拡大断面図、図４は基枠体の分解斜視図、図５は基枠体の側面図、図６は図５のＡ―Ａ断面図、図７は図６に示す一点鎖線部分の拡大断面図である。このランドセル１は、合成皮革または人工皮革で形成したランドセル本体２と蓋板２６と背負ベルト（図示せず）により構成されている。
【００１１】
ランドセル本体２は、図１、２に示すごとく、教科書やノートや筆箱などを収納する大きな主収容部３と、該主収容部３の前側に取付ける基枠体１１（学習用具などを入れる小さな副収容部１２と、大切な小物などを収容する前段ポケット部１７を一体に形成）とからなり、前記ランドセル本体２の側面には、前記収容室３が広がるのを防止するための前締ベルト２７を取付けてある。この前締ベルト２７は一端を大マチ部６に固定し、他端を前段ポケット部１７の正面側の前板部１８に取付けてある
【００１２】
前記主収容部３の構成部品は、幅広に形成した平板からなる底面部５の両側に大マチ部６、６を一体に形成した大マチ枠４と、学童の背中に面して位置する背板７と、該背板の反対側に位置する前板８とをそれぞれ縫着して形成し、上方に教科書を出し入れするための開口部９を設けてある。
【００１３】
前記基枠体１１は、図２、４、５に示すごとく、人工皮革シート３１を加熱成形加工により一体に膨出させて副収容部１２と前段ポケット部１７を連続して形成してある。さらに、基枠体１１の平面段部１５の内側に仕切板２３を取付けて仕切ることにより、副収容部１２と前段ポケット部１７を形成し、上方にほぼ同じ高さの開口部２１を形成することができる。前記前段ポケット部１７の開口部２１に収容物が紛失したり、落下するのを防止するスライドファスナー２５を取付けて開閉可能に形成してある。  
【００１４】
したがって、副収容部１２と前段ポケット部１７をそれぞれ組立て縫製する工程が一度で済み、且つ、縫製加工も容易であることからランドセルの組立工程を効率的に行うことができる。
【００１５】
前記基枠体１１を形成するための加熱成形加工は、公知の真空成形加工または加熱プレス加工などにより行う。いずれの加工法でも、一枚の扁平な人工皮革シート３１の略中央に位置した前段ポケット１７を構成する前板部１８の周縁に連続する三方向を直角方向に山折りして底面部１９と両側面部２０、２０を形成し、該底面部と両側面部の背面側を谷折して連続する幅広の平面段部１５を形成し、該平面段部の周縁に一回り大きく形成して山折りした底面部１３と側面部１４、１４を一体に折り曲げて副収容部１２を形成することにより、一度の加熱形成加工で簡単に副収容部１２と前段ポケット部１７を形成することができる。
【００１６】
図８に示すごとく、第２基枠体４０は、前段ポケット４２の前面板部４３に名札（図示せず）を表示する窓部４５を設けたもので、該窓部の裏側に名札出し入れ用のポケット部（図示せず）を設け形成し、前記基枠体１１の代わりに第２基枠体４０を使用して形成することができるのは勿論である。該第２基枠体４０の構成は前記基枠体１１と同一であるため、説明を省略する。
【００１７】
基枠体１１、４０を構成する人工皮革シート３１は、図３に示すごとく、天然皮革に似せた表面部を有する表面シート地３２と、薄厚で軽量な弾力性と緩衝性と柔軟性を有する熱可塑性を有する発泡樹脂材からなる弾性芯地３３と伸縮性を有する編地３６に合成樹脂シート３７を圧着して形成した裏面シート地３７をそれぞれ積層して接着剤で加熱圧着してある。
【００１８】
前記表面シート地３２は、軽量で強度性を有する不織布の表面にポリウレタン樹脂材をコーテイングしてなる公知の人工皮革で、例えば、株式会社クラレが製造販売する商品名「クラリーノ」（登録商標）を使用することが望ましい。
【００１９】
前記弾力芯地３３は、薄厚で軽量な弾力性と緩衝性と柔軟性を有する熱可塑性の発泡樹脂材が、発泡ポリエチレン（ＰＥ）樹脂材、発泡ポリプロピレン（ＰＰ）樹脂材、エチレン酢酸ビニル（ＥＶＡ）などからなる弾力シート地で、好ましくは、発泡ポリエチレン、例えば、東レ株式会社が販売する商品名「トーレペフ」（登録商標）を使用することが望ましい。
【００２０】
前記裏面シート地３５は、伸縮性を有するトリコット編地３６と、表面に任意模様を施した合成樹脂シート３７をローラーで加熱圧着して形成してある。前記トリコット編地３６は、例えば、ポリエステル合成繊維糸で編成したことにより、経線方向、緯線方向およびバイアス方向に均等に伸縮可能に形成してある。
【００２１】
一方、表面に任意模様を施した合成樹脂シート３７は、好ましくは、ポリウレタン樹脂シートからなり、前記トリコット編地３６とポリウレタン樹脂シート３７とをラミネート加工により一体に形成してある。
【００２２】
前記ラミネート加工は適度の加熱温度と適度なローラーでの圧着と引張力を調整して加工することにより、編地３６に圧着された模様にゆがみが生じることなく形成することができる。前記した人工皮革シート３１は、前記人工皮革シートに限定されるもではなく、弾力芯地３３の表面側に表面シート地３２を取付けた二層に形成したシート地でもよい。
【００２３】
以下、本考案の実施の形態の作用について説明すると、人工皮革シート３１を加熱成形加工により基枠体１１を形成し、該基枠体の平面段部１５の内側に仕切板２３を介在させて副収容部１２と前段ポケット部１７を形成し、前段ポケット部の上端開口部にスライドファスナーを取付けて開閉可能に形成したことにより、副収容部１２と前段ポケット部１７を一体に形成することができる。
【００２４】
図２に示すごとく、ランドセル本体２の組立工程は、前記基枠体１１の縫代部１１ａと、大マチ枠４の縫代部４ａと、前板８の縫代部８ａをそれぞれ重ねて縫着する。したがって、従来の副収容部と前段ポケット部をそれぞれ縫製する工程と前段ポケット部を構成する細かな部材が不要なため、縫製工程の省略化とランドセルの軽量化、さらにはコストの軽減を図ることができ経済的である。
【００２５】
次いで、大マチ枠４の背中側に位置する縫代部４ｂと、背板７の縫代部７ａを縫着し、さらに背板７の上端に蓋板２６の下端を縫着してランドセル本体２形成する。前記主収容室３の上縁と副収容部１２の上縁にそれぞれ補強用の帯状に形成した縁取り帯３９を縫着して形成してある。
【００２６】
ランドセル本体２を構成する基枠体は、前記基枠体１１のほか、図８に示すごとく、前段ポケット部４２の前板部４３に名札を表示する窓部４５を設けた第２基枠体４０を取付けて形成することができるのは勿論である。この第２基枠体４０の窓部４５の内側に、名札を表示可能に収容するポケット部を設けてある。
【符号の説明】
【００２７】
１    ランドセル
２    ランドセル本体
３    主収容室
４    大マチ枠
５    底面部
６    大マチ部
７    背板
８    前板
１１  基枠体
１２  副収容部
１３  底面部
１４  マチ部
１５  平面段部
１７  前段ポケット部
１８  前板部
１９  底面部
２０  側面部
２１  開口部
２３  仕切板
２５  ファスナー
２６  蓋板
３１  人工皮革シート
３２  表面シート地
３３  発泡樹脂芯地
３５  裏面シート地
３６  編地
３７  合成樹脂シート地
【図１】
0003186507.tif 000003
【図２】
0003186507.tif 000004
【図３】
0003186507.tif 000005
【図４】
0003186507.tif 000006
【図５】
0003186507.tif 000007
【図６】
0003186507.tif 000008
【図７】
0003186507.tif 000009
【図８】
0003186507.tif 000010